(57)【要約】【課題】  映像表示面とキャビネットとの隙間を無くし、ビビリ音の発生を抑制し、且つリサイクルしやすいキャビネット及び映像機器を提供すること。【解決手段】  キャビネット１は、映像表示デバイス５のフロントパネル５０を保持するベゼル１０を有している。このベゼル１０とフロントパネル５０の映像表示面５ａとの間には、弾性を有するパッキン８が圧縮された状態で取り付けられている。ベゼル１０とパッキン８との密着性、及びパッキンと映像表示面５ａとの密着性が向上するため、キャビネット１内への異物の侵入を防止し、ビビリ音の発生を抑制することができる。また、映像機器をリサイクルのために分解する際には、パッキン８をベゼル１０から容易に取り外すことができるため、分解作業が容易になる。【選択図】        図１
2006162636.tif 000002
【特許請求の範囲】
【請求項１】
映像表示面を有する映像表示デバイスを保持するキャビネットであって、
前記映像表示デバイスの前記映像表示面側を保持するベゼルと、
前記ベゼルと前記映像表示面との隙間を塞ぐように設けられた弾性を有するシール部材と
を備えたことを特徴とするキャビネット。
【請求項２】
前記ベゼルが、前記シール部材の一部が圧入される凹部を有することを特徴とする請求項１に記載のキャビネット。
【請求項３】
前記シール部材が、前記ベゼル側に突出して前記凹部に圧入される突起部を有することを特徴とする請求項２に記載のキャビネット。
【請求項４】
前記シール部材が、チューブ状に形成されていることを特徴とする請求項１乃至３の何れか１項に記載のキャビネット。
【請求項５】
前記ベゼルが、前記映像表示面上に規定される映像表示領域を露出させるための開口部を有し、
前記シール部材が、前記開口部の周囲を囲むように延在していることを特徴とする請求項１乃至４の何れか１項に記載のキャビネット。
【請求項６】
映像表示面を有する映像表示デバイスと、
前記映像表示デバイスを保持するキャビネットと
を備え、
前記キャビネットが、
前記映像表示デバイスの前記映像表示面側を保持するベゼルと、
前記ベゼルと前記映像表示面との隙間を塞ぐように設けられた弾性を有するシール部材と
を備えたことを特徴とする映像機器。
【請求項７】
前記ベゼルが、前記シール部材の一部が圧入される凹部を有することを特徴とする請求項６に記載の映像機器。
【請求項８】
前記シール部材が、前記ベゼル側に突出して前記凹部に圧入される突起部を有することを特徴とする請求項７に記載の映像機器。
【請求項９】
前記シール部材が、チューブ状に形成されていることを特徴とする請求項６乃至８の何れか１項に記載の映像機器。
【請求項１０】
前記ベゼルが、前記映像表示面上に規定される映像表示領域を露出させるための開口部を有し、
前記シール部材が、前記開口部の周囲を囲むように延在していることを特徴とする請求項６乃至９の何れか１項に記載の映像機器。
【発明の詳細な説明】
【技術分野】
【０００１】
本発明は、映像機器、及びその映像表示デバイス（陰極線管や液晶表示パネル等）を保持するキャビネットに関する。
【背景技術】
【０００２】
テレビジョン受像機やコンピュータ用ディスプレイ等の映像機器は、その映像表示デバイス（陰極線管や液晶表示パネル等）を保持するキャビネットを有している。キャビネットは、映像表示デバイスの前側に位置するベゼルを有しており、このベゼルには、映像表示デバイスの映像表示領域を外部に露出させるための開口部が形成されている。キャビネットは、ＰＳ（ポリスチレン）樹脂やＡＢＳ（アクリロニトリル−ブタジエン−スチレン）樹脂の成形体により構成されるのが一般的であるが、近年、環境保護の観点から、廃棄物の容量を低減する目的でキャビネットの肉厚を薄くしているため、成形時又は成形後の変形や歪みが生じやすい。その結果、ベゼルの開口部の周囲において、ベゼルと映像表示面との隙間が生じやすく、映像表示面に結露した水滴や外部の埃がキャビネット内に侵入し、あるいは外観状の違和感を与えるという問題がある。
【０００３】
この問題を解決するため、キャビネットを、予め予測したベゼルの変形量（変形補正量）を考慮した形状寸法に加工することが提案されている（例えば、特許文献１参照。）。また、ベゼルの開口部を囲む部分（窓枠部）に別部材を取り付け、この別部材により窓枠部を映像表示面に当て付けることも提案されている（例えば、特許文献２参照。）。
【０００４】
【特許文献１】特開平１０−２７１４１５号公報（第３頁、図１）
【特許文献２】特開２００３−３２４６６８号公報（第６頁、図２−３）
【発明の開示】
【発明が解決しようとする課題】
【０００５】
しかしながら、上述した従来の方法では、成形時や成形後の予期しない変形には対応することができず、映像表示面とキャビネットとの隙間を完全に無くすことができない。
【０００６】
また、上述したようにキャビネットを変形補正量を考慮した形状寸法に加工する方法や、ベゼルの窓枠部を映像表示面に当て付ける方法では、ベゼルに無理な力を加えることになるため、ベゼルの表面に凹凸を生じさせる可能性がある。その結果、光沢のある塗装をした場合など、ベゼルの表面の凹凸が目立って美観を損ねる恐れがある。
【０００７】
さらに、ベゼルと映像表示面との間の押圧力は一定でなく、押圧力が小さい部分では、キャビネットに取り付けられたスピーカの振動によるビビリ音が発生する場合がある。このビビリ音の対策としては、ベセルの接触面に不織布を貼り付ける方法があるが、この方法ではキャビネットをリサイクルする場合に不織布を剥がさなければならず、分解作業が煩雑になるという問題がある。
【０００８】
本発明は、上記の課題を解決するためになされたもので、その目的は、映像表示面とキャビネットとの隙間を無くし、ビビリ音の発生を抑制し、且つリサイクルしやすいキャビネット及び映像機器を提供することにある。
【課題を解決するための手段】
【０００９】
本発明に係るキャビネットは、映像表示面を有する映像表示デバイスを保持するキャビネットであって、前記映像表示デバイスの前記映像表示面側を保持するベゼルと、前記ベゼルと前記映像表示面との隙間を塞ぐように設けられた弾性を有するシール部材とを備えたものである。
【発明の効果】
【００１０】
本発明によれば、弾性を有するシール部材を用いることで、キャビネットに無理な力を加えることなく、ベセルと映像表示面との隙間を無くし、キャビネット内への異物（埃や液滴等）の侵入を防止することができる。また、キャビネットのベゼルと映像表示面との直接接触により生じうるビビリ音の発生を確実に防止することもできる。さらに、シール部材をベセルに貼り付ける必要が無いため、分解時の取り外しが容易であり、リサイクルしやすくなる。
【発明を実施するための最良の形態】
【００１１】
実施の形態１．
図１及び図２（ａ）は、実施の形態１に係る映像機器を示す分解斜視図及び斜視図である。図１に示す映像機器は、例えばテレビジョン受像機やコンピュータ用ディスプレイとして用いられるものである。図１に示す映像機器は、映像表示デバイス５と、この映像表示デバイス５を外側から保持するキャビネット１とを有している。映像表示デバイス５は、ここでは陰極線管であり、映像表示面５ａ（図２（ａ））を有するフロントパネル５０と、図示しない電子銃及び偏向コイルを内側に有するファンネル５１とを備えている。なお、映像表示デバイス５は、陰極線管に限られるものではなく、液晶パネルやプラズマ表示パネルなど、映像を表示するデバイスであればよい。
【００１２】
以下の説明では、映像表示デバイス５の映像表示面５ａ側を前方（Ｆ）とし、その反対側を後方（Ｒ）とする。
【００１３】
キャビネット１は、映像表示デバイス５のフロントパネル５０を保持するベゼル（フロントキャビネット）１０と、映像表示デバイス５のファンネル５１を収容するリアキャビネット１５（図２（ａ））とを有する。ベゼル１０とリアキャビネット１５とを組み合わせた内側に、映像表示デバイス５が収容されている。
【００１４】
図２（ｂ）に模式的に示すように、フロントパネル５０の映像表示面５ａの中央には、映像が表示される領域である映像表示領域５ｂが規定されている。この映像表示領域５ｂの周囲には、ほぼ一定の幅で、黒色の帯状領域５ｃが形成されている。
【００１５】
図１に示すように、ベゼル１０は、フロントパネル５０の映像表示領域５ｂ（図２（ｂ））を外部に露出させる略矩形状の開口部１２と、開口部１２の周囲を囲む窓枠部３と、窓枠部３の外周端縁から後方に延在する側方壁部１１とを有している。窓枠部３の内周縁には、後述するパッキン８が当接する内周縁部２が形成されている。
【００１６】
窓枠部３の四隅には、映像表示デバイス５を取り付けるための４つのボス４（図１では２つのみ示す）が後方に向かって突出形成されており、各ボス４にはネジ穴４０が形成されている。映像表示デバイス５において、ボス４に対応する４箇所には、貫通孔６０を有する固定部材６（図１では３つのみ示す）がそれぞれ取り付けられている。取り付けネジ７を、各固定部材６の貫通孔６０を貫通させ、各ボス４のネジ穴４０に係合させることにより、映像表示デバイス５がベゼル１０に取り付けられる。また、ボス４の後端面が固定部材６に当接することで、映像表示デバイス５のベゼル１０に対する前後方向の相対位置が決定される。
【００１７】
ベゼル１０と映像表示デバイス５のフロントパネル５０との間には、シール部材としてのパッキン８が設けられている。パッキン８は、弾性を有する部材（例えば軟質ゴム）により構成されている。このパッキン８は、互いに平行な２つの長辺部分８１，８３と、互いに平行な２つの短辺部分８２，８４とで略矩形状に形成されており、ベゼル１０の内周縁部２に当接するようになっている。
【００１８】
図３（ａ）は、パッキン８の一部を拡大して示す斜視図である。パッキン８は、略矩形状の断面を有する柱状の主部８ｂを有している。主部８ｂの前面、すなわちベゼル１０の窓枠部３と対向する面には、リブ（突起部）８ａが形成されている。リブ８ａは、主部８ｂの幅方向中央部に形成され、主部８ｂの長手方向に沿って延在している。なお、図３（ａ）には、パッキン８の長辺部分８１のみ示しているが、リブ８ａは、長辺部分８１，８３及び短辺部分８２，８４の全体に亘って延在している。
【００１９】
図３（ｂ）は、パッキン８の各辺の延在方向に直交する断面における断面図である。パッキン８のリブ８ａは、その主部８ｂから最も突出した先端に、凸状の曲面（ここでは円筒面）を有している。主部８ｂの前後方向の寸法、すなわち厚さをＷ１とする。
【００２０】
図４は、映像表示デバイス５をパッキン８を介してベゼル１０に取り付けた状態を説明するための図であり、図１に示した面Ａにおける断面図である。ベゼル１０の内周縁部２は窓枠部３よりも後方に突出しており、内周縁部２の付け根の部分２１は窓枠部３に対して傾斜している。
【００２１】
ベゼル１０の内周縁部２の後端面には、パッキン８のリブ８ａが挿入される溝（凹部）２０が形成されている。パッキン８のリブ８ａがベゼル１０の溝２０に圧入された状態で、パッキン８の主部８ｂは、ベゼル１０の内周縁部２の後端面と映像表示デバイス５の映像表示面５ａとの間で挟持される。
【００２２】
上述したボス４の前後方向（軸方向）の長さは、映像表示デバイス５をベゼル１０に取り付けた状態で、内周縁部２と映像表示デバイス５の映像表示面５ａとの間に、前後方向に所定の隙間Ｗ２ができるように決定されている。この隙間Ｗ２は、パッキン８の主部８ｂの厚さＷ１（図３（ｂ））よりも小さい。従って、映像表示デバイス５をベゼル１０に取り付けた状態で、パッキン８の主部８ｂは、Ｗ１−Ｗ２に相当する分だけ圧縮されるようになっている。パッキン８の変形量と硬度とを適宜調整することで、ベゼル１０の窓枠部３に無理な力（凹凸などの変形を生じるような力）が加わらないようにすることができる。
【００２３】
本実施の形態に係る映像機器を組み立てる際には、まず、ベゼル１０の内周縁部２の溝２０にパッキン８のリブ８ａを押し込むことにより、ベゼル１０に対してパッキン８を取り付ける。次いで、ベゼル１０の内周縁部２と映像表示デバイス５の映像表示面５ａとの間でパッキン８を挟みこむように、映像表示デバイス５をベゼル１０に対して位置決めする。次いで、取り付けネジ７を、映像表示デバイス５の固定部材６の貫通孔６０を貫通させ、ベゼル１０のボス４のネジ穴４０に螺合させることにより、映像表示デバイス５をベゼル１０に取り付ける。その後、映像表示デバイス５が取り付けられたベゼル１０に、公知の方法でリアキャビネット１５（図２）を組み付ける。これにより、ベゼル１０とリアキャビネット１５とからなるキャビネット１の内側に映像表示デバイス５が収容された状態となり、映像機器の組み立てが完了する。
【００２４】
一方、本実施の形態に係る映像機器をリサイクル等のために分解する際には、リアキャビネット１５をベゼル１０から分離したのち、取り付けネジ７を緩めてボス４のネジ穴４０から取り外し、映像表示パネル５をベゼル１０から取り外す。次いで、ベゼル１０からパッキン８を取り外す。このとき、パッキン８はベゼル１０に接着されておらず、パッキン８のリブ８ａがベゼル１０の溝２０に圧入されているだけであるため、パッキン８をベゼル１０から容易に取り外すことができる。
【００２５】
次に、本実施の形態による効果について説明する。本実施の形態では、図４に示したように、ベゼル１０と映像表示デバイス５の映像表示面５ａとの隙間が、弾性を有するパッキン８により塞がれているため、開口部１２の周囲からキャビネット１内に異物（液滴や埃）が侵入することが防止される。特に、パッキン８の主部８ｂが、厚さＷ１からＷ２まで圧縮されるため、パッキン８とベゼル１０の内周縁部２との密着性、及びパッキン８と映像表示面５ａとの密着性が向上し、異物の侵入を確実に防止することができる。
【００２６】
また、弾性変形可能なパッキン８が、ベゼル１０の内周縁部２と映像表示デバイス５の映像表示面５ａとの間に介在しているため、ベゼル１０の内周縁部２と映像表示デバイス５の映像表示面５ａとの間に作用する押圧力がほぼ一定に保たれ、無理な力がベゼル１０に加わることが防止される。従って、ベゼル１０の表面に不要な凹凸が生じて美観を損ねることがない。加えて、ベゼル１０と映像表示デバイス５の映像表示面５ａとの間にパッキン８が介在することにより、ビビリ音の発生も抑制される。
【００２７】
加えて、パッキン８のリブ８ａがベゼル１０の溝２０に圧入される構成であるため、パッキン８と内周縁部２との間からの異物の侵入をさらに確実に防止することができる。また、パッキン８をベゼル１０に接着する必要がなく、パッキン８をベゼル１０から取り外す際にはパッキン８のリブ８ａをベゼル１０の溝２０から引き出すだけでよいため、リサイクルの際の分解作業も容易になる。
【００２８】
さらに、パッキン８が、開口部１２の周囲を囲むように延在しているため、開口部１２の周囲のどの部分からの異物の侵入も防止することができる。
【００２９】
なお、パッキン８の色を、図２（ｂ）に示した映像表示領域５ｂの周囲の帯状領域５ｃと同色（例えば黒色）とすることで、映像機器を前方から見たときにパッキン８が目立ないようにすることができる。
【００３０】
変形例．
図５（ａ）及び（ｂ）は、実施の形態１の変形例におけるシール部材の一部を拡大して示す斜視図及び断面図である。この変形例では、シール部材が、弾性部材（例えば軟質ゴム）により構成された円形断面を有するチューブ９により構成されている。なお、図示は省略するが、この変形例におけるチューブ９は、実施の形態１のパッキン８と同様、ベゼル１０の開口部１２を囲むように略矩形状に延在している。また、チューブ９の直径は、図５（ｂ）に示すようにＤとする。
【００３１】
図６は、映像表示デバイス５を、チューブ９を介してベゼル１０に取り付けた状態を説明するための断面図である。ベゼル１０の内周縁部２の後端面には、チューブ９の前側の部分（前半分）が挿入される略半円状の断面を有する溝（凹部）２０が形成されている。
【００３２】
ベゼル１０において、上述したボス４（図４）の長さは、映像表示デバイス５をベゼル１０に取り付けた状態で、内周縁部２の後端面と映像表示デバイス５の映像表示面５ａとの間に、前後方向に所定の隙間Ｗ３（Ｗ３＜Ｄ）ができるように決定されている。これにより、映像表示デバイス５をベゼル１０に取り付けた状態で、チューブ９がＤ−Ｗ３に相当する分だけ圧縮されるようになっている。チューブ９の変形量及び硬度は、ベゼル１０の窓枠部３に無理な力が加わらないように適宜調整することができる。
【００３３】
この変形例に係る映像機器は、チューブ９及び溝２０以外の構成は、実施の形態１で説明した映像機器と同様である。また、この変形例に係る映像機器の組み立て方法及び分解方法は、実施の形態１と同様である。
【００３４】
この変形例によれば、実施の形態１で説明した各効果に加えて、チューブ９の形状（チューブ状）が簡単であることから、部品の低コスト化に資することができるという効果を得ることができる。
【００３５】
次に、実施の形態１及びその変形例の効果をより明らかにするための比較例について説明する。図７は、上述したシール部材（パッキン８及びチューブ９）の代わりに、不織布１００を用いた比較例に係る映像機器を示す分解斜視図である。図８は、図７に示した面Ｂにおける断面図である。図７に示すように、不織布１００は、ベゼル１０の内周縁部２に接着されている。
【００３６】
但し、不織布１００は弾性変形しないため、不織布１００をベゼル１０と映像表示面５ａとの間で圧縮することができない。そのため、不織布１００とベゼル１０との密着性、及び不織布１００と液晶表示デバイス５との密着性を十分に確保することができず、キャビティ内への異物の侵入を確実に防止することができない。また、不織布１００の場合、液滴の侵入を防止する機能に乏しい。加えて、不織布１００がベゼル１０に接着されているため、リサイクルの際には不織布１００をベゼル１０から引き剥がす必要があり、分解作業が煩雑になる。
【００３７】
これに対し、上述した実施の形態１及びその変形例によれば、ベゼル１０の内周縁部２と映像表示デバイス５の映像表示面５ａとの間でシール部材（パッキン８又はチューブ９）を圧縮した状態で挟み込むようになっているため、ベゼル１０の内周縁部２とシール部材との密着性、及びシール部材と映像表示デバイス５の映像表示面５ａとの密着性を確保することができ、その結果、キャビティ１内への異物の侵入を確実に防止することができる。さらに、シール部材（パッキン８又はチューブ９）が弾性体であるため、ベゼル１０に無理な力が加わることがなく、ベゼル１０の変形を防止することができる。また、シール部材がベゼル１０に接着されていないため、リサイクルの際の分解作業も容易になる。
【００３８】
なお、上述した実施の形態１及びその変形例では、シール部材（パッキン８及びチューブ９）が開口部１２を囲むように矩形状に延在していたが、必ずしも矩形状である必要は無く、開口部１２の周囲からの異物の侵入を防止できる形状であればよい。また、例えば、図１に示したパッキン８の長辺部分８１，８３及び短辺部分８２，８４がそれぞれ独立した部材であってもよい。
【００３９】
また、上述した実施の形態１及びその変形例では、シール部材（パッキン８及びチューブ９）の一部が、ベゼル１０の内周縁部２に形成された溝２０に圧入されていたが、必ずしもこのような構成である必要はない。但し、シール部材（パッキン８及びチューブ９）の一部を溝２０に圧入させることで、異物の侵入を防止する効果が高くなることは言うまでもない。
【００４０】
また、シール部材（パッキン８及びチューブ９）の断面形状は、図３及び図５に示した断面形状に限らず、他の形状（例えば、中実の円形断面を有する円柱状等）であってもよい。
【図面の簡単な説明】
【００４１】
【図１】この発明の実施の形態１に係る映像機器の分解斜視図である。
【図２】この発明の実施の形態１に係る映像機器の斜視図（ａ）及び映像表示面の模式図（ｂ）である。
【図３】この発明の実施の形態１に係るパッキンの一部分を拡大して示す斜視図（ａ）及び断面図（ｂ）である。
【図４】この発明の実施の形態１に係るベゼルとパッキンと映像表示デバイスとの当接部分を拡大して示す断面図である。
【図５】この発明の実施の形態１の変形例に係るパッキンの一部分を拡大して示す斜視図（ａ）及び断面図（ｂ）である。
【図６】この発明の実施の形態１の変形例に係るベゼルとパッキンと映像表示デバイスとの当接部分を拡大して示す断面図である。
【図７】この発明の実施の形態１及びその変形例に対する比較例に係る映像機器の分解斜視図である。
【図８】図７に示した比較例における映像機器のベゼルとパッキンと映像表示デバイスとの当接部分を拡大して示す断面図である。
【符号の説明】
【００４２】
１  キャビネット、  １０  ベゼル、  １５  リアキャビネット、  ２  内周縁部、  ２０  溝、  ３  窓枠部、  ４  ボス、  ４０  ネジ穴、  ５  映像表示デバイス、  ５ａ  映像表示面、  ５ｂ  映像表示領域、  ５０  フロントパネル、  ５１  ファンネル、  ６  固定部材、  ７  取り付けネジ、  ８  パッキン、  ８ａ  リブ、  ８ｂ  主部、  ９  チューブ。
【図１】
2006162636.tif 000003
【図２】
2006162636.tif 000004
【図３】
2006162636.tif 000005
【図４】
2006162636.tif 000006
【図５】
2006162636.tif 000007
【図６】
2006162636.tif 000008
【図７】
2006162636.tif 000009
【図８】
2006162636.tif 000010